(57)【要約】      （修正有）【課題】  光ファイバケーブルやＬＡＮケーブル等、信号を伝送するための伝送ケーブルのの屈曲性を改善して、信号伝送媒体線に作用するストレスやテンションを低減し、配線工事を容易に行うことの出来る配線方法ならびに配線構造を提供する。【解決手段】  例えば信号伝送媒体である光ファイバ１１の一次被覆１２の周囲に二次被覆１３を設け、光ファイバ１１の中心Ｃｆを、二次被覆１３の幅方向の中心ＣｃからＬｆ離れた位置に配置する。光ファイバケーブル１０を屈曲させる際には、二次被覆１３の光ファイバ１１が配置されていない一端から幅方向に切込部を設け、切込部付近で屈曲させて屈曲部Ａを形成する。また二次被覆に段差等のマーキングを施せばケーブルの位置を容易に知ることが出来、壁などに固定する際プッシュピン２０の貫通によりケーブルを損傷させることもなく施工上のミスを低減させることが出来る。【選択図】  図１
2006032233.tif 000002
【特許請求の範囲】
【請求項１】
信号を伝送する信号伝送媒体線と、
該信号伝送媒体線の周囲に設けられた保護部材とを有し、
前記信号伝送媒体線が前記保護部材内において幅方向に偏心して配置されていることを特徴とする伝送ケーブル。
【請求項２】
前記保護部材の一面に設けられた平坦面と、
該平坦面に設けられた粘着部材と
を有することを特徴とする請求項１記載の伝送ケーブル。
【請求項３】
前記保護部材の表面における前記信号伝送媒体線に対応する箇所に表示されたマーキングを有することを特徴とする請求項１記載の伝送ケーブル。
【請求項４】
前記信号伝送媒体線に対応する箇所以外の前記保護部材の表面に、所定間隔で凹部を設けたことを特徴とする請求項１に記載の伝送ケーブル。
【請求項５】
信号を伝送する信号伝送媒体線が保護部材内において幅方向に偏心されて配置された伝送ケーブルの配線方法であって、
前記保護部材の前記信号伝送媒体線が配置されていない一端から前記幅方向に切込部を設け、
該切込部付近で前記伝送ケーブルを屈曲させる
ことを特徴とする伝送ケーブルの配線方法。
【請求項６】
信号伝送媒体線が保護部材内において幅方向に偏心されて配置された伝送ケーブルの配線構造であって、
前記保護部材の前記信号伝送媒体線が配置されていない一端から幅方向に設けられた切込部と、
該切込部付近で伝送ケーブルを屈曲させる屈曲部と
を備えることを特徴とする伝送ケーブルの配線構造。
【発明の詳細な説明】
【技術分野】
【０００１】
本発明は、光ファイバケーブルやＬＡＮケーブル等、信号を伝送するための伝送ケーブル、及びその配線方法並びに配線構造に関する。
【背景技術】
【０００２】
従来より、電気信号や光信号を伝送するケーブルとしてＬＡＮケーブルや、光ファイバケーブルが普及している。これらの伝送ケーブルは、コンピュータ等の情報端末や周辺機器、又は通信機器等の間に配線される。近年にあっては、高速伝送が可能な大容量・常時接続の通信サービス（ブロードバンドサービス）が急速に普及しつつあり、光ファイバーケーブルによるＦＴＴＨ（Fiber To The Home）構想が期待されている。
【０００３】
この光ファイバケーブルは、通常、コアとクラッドからなる光ファイバの周囲をジャケットで覆った状態で用いられる。ところが、これの状態にあっては、施工時の取り扱いには不便なので、光ファイバの周囲を樹脂等の保護部材で覆った光ファイバケーブルとして用いられることが一般的である（例えば特許文献１参照。）。
【特許文献１】特開平７−１４６４２７号
【発明の開示】
【発明が解決しようとする課題】
【０００４】
上述の従来の光ファイバケーブルでは、２本の光ファイバを矩形状の断面を有する保護部材の幅方向に２本の光ファイバを並列に配置している。このため、施工時に光ファイバケーブルを保護部材の幅方向に屈曲させようとすると、屈曲部の内側と外側の光ファイバとで曲率半径が異なることになり、光ファイバにストレスがかかってしまう。このため、保護部材の幅方向の屈曲性に限界があり、施工上の制約があった。
【０００５】
本発明は、上述のような課題に鑑みてなされたものであり、光ファイバケーブルやＬＡＮケーブル等の伝送ケーブルにおいて、信号伝送媒体線に作用するストレスやテンションを低減し、屈曲性の改善に寄与することができる伝送ケーブルを提供するとともに、配線工事等における施工を容易に行うことができる伝送ケーブルの配線方法並びに配線構造を提供することを目的とする。
【課題を解決するための手段】
【０００６】
上記課題を解決するために、本発明の伝送ケーブルは、信号を伝送する信号伝送媒体線と、信号伝送媒体線の周囲に設けられた保護部材とを有し、信号伝送媒体線が保護部材内において幅方向に偏心して配置されている。
【０００７】
ここで、伝送ケーブルとしては、光ファイバケーブル、ＬＡＮケーブル、ＵＳＢケーブル、アンテナ線、その他信号を電気的又は光学的に伝送することが可能なケーブルが含まれる。
【０００８】
上記伝送ケーブルは、保護部材の信号伝送媒体線が配置されていない一端から幅方向に切込部を設け、切込部付近で伝送ケーブルを屈曲させて配線することができ、これにより、保護部材の信号伝送媒体線が配置されていない一端から幅方向に設けられた切込部と、切込部付近で伝送ケーブルを屈曲させる屈曲部とを備える配線構造を構築することができる。
【０００９】
このような本発明によれば、任意の箇所に切込部を形成することができるとともに、この切込部付近で伝送ケーブルを容易に且つ任意の方向に屈曲させることができるため、屈曲性の改善に寄与することができる。
【００１０】
また、本発明では、保護部材の信号伝送媒体線が配置されていない箇所には、ピンなどを打込むことが可能であるため、当該伝送ケーブルを配線する際に、壁や床などに容易に固定することができる。なお、このようにピン等で固定した状態であっても、保護部材内において信号伝送媒体線が偏心されて配置されているため、信号伝送媒体線に直接作用するテンション（ストレス）を軽減することができる。
【００１１】
上記発明において、伝送ケーブルは、保護部材の一面に設けられた平坦面と、平坦面に設けられた粘着部材とを有することが好ましい。また、上記発明において、伝送ケーブルは、保護部材の表面における信号伝送媒体線に対応する箇所に表示されたマーキングを有することが好ましい。
【００１２】
このような伝送ケーブルによれば、平坦面に設けられた粘着部材により壁や床に容易に固定することができ、より施工性を高めることができる。また、マーキングにより、保護部材内の信号伝送媒体線の位置を目視することができるため、切込部を形成したり、屈曲させたりする際に、信号伝送媒体線が損傷されるのを回避することができる。
【００１３】
上記発明において、信号伝送媒体線に対応する箇所以外の保護部材の表面に、所定間隔で凹部を設けてもよい。これによれば、ユーザーがピンなどを使用して伝送ケーブルを壁等に固定する際、ピンなどを貫通させる位置を、凹部の位置とするように促すことができ、ピンなどによって、保護部材内部の信号伝送媒体線が破損されるのを回避することができる。
【発明の効果】
【００１４】
本発明によれば、光ファイバケーブルやＬＡＮケーブル等の伝送ケーブルにおいて、信号伝送媒体線に作用するストレスを低減しつつ、屈曲性の改善に寄与することができ、配線工事等における施工を容易に行うことができる。
【発明を実施するための最良の形態】
【００１５】
本発明の実施形態について、図面を参照しつつ説明する。本実施形態では、例えば信号伝送媒体として光ファイバを用いた光ファイバケーブルに適用した場合を例に説明する。
【００１６】
本実施形態に係る光ファイバケーブル１０は、例えば図１に示すように、光信号が伝送される光ファイバ１１と、光ファイバ１１の周囲を覆う一次被覆１２と、一次被覆１２の周囲に設けられた保護部材である二次被覆１３とを備えている。
【００１７】
本実施形態において二次被覆１３の断面は、矩形状に形成されており、光ファイバ１１の中心Ｃｆは、この二次被覆１３の幅方向の中心ＣｃからＬｆ離れた位置に配置されている。
【００１８】
二次被覆１３の裏面（壁等に対向する面）には、例えば図２に示すように、粘着部材１５と、剥離紙１６とが設けられている。この剥離紙１６は、光ファイバケーブル１０の保存時等に粘着部材１５が他の部材に付着するのを防止するために設けられている。施工時等に剥離紙１６を剥がし、二次被覆１３の中心部を壁等に向かって押圧すると、粘着部材１５が壁等に接着され、光ファイバケーブル１０が固定される。
【００１９】
粘着部材１５は両面テープを二次被覆１３に貼り付けて形成してもよいし、粘着性の部材を二次被覆１３に塗布することによって形成してもよい。また、二次被覆１３はロール状に巻かれた状態で保存されるため、剥離紙１６は、ある程度の伸縮性を有していることが望ましい。また、その一方で伸縮性がありすぎると、剥離紙１６を剥がすのが難しくなるため、二次被覆１３，粘着部材１５等の柔軟性等に応じて適切な伸縮性を選択する。
【００２０】
また、二次被覆１３表面の光ファイバ１１の位置には、例えば図３に示すように、マーキング１７が設けられている。このようなマーキング１７を設けることにより、光ファイバ１１の位置を容易に知ることができ、施工上のミスの低減に寄与することができる。
【００２１】
上述のように構成された光ファイバケーブル１０は、二次被覆１３の幅方向に切込部あるいは切欠部を形成することにより、二次被覆１３の幅方向に容易に屈曲させることができる。光ファイバ１１側を内側に屈曲させる際には、例えば図４に示すように、二次被覆１３の光ファイバ１１（すなわちマーキング１７側）と反対側にスリット状の切込部４０を形成し、図５に示すように、切込部４０が開拡されるように、マーキング１７側を内側にして二次被覆１３を屈曲させる。
【００２２】
反対に、光ファイバ１１側を外側に屈曲させる際には、例えば図６に示すように、二次被覆１３のマーキング１７側と反対側にＶ字形の切欠部５０を形成し、図７に示すように、切欠部５０が閉狭されるようにマーキング１７側を外側にして二次被覆１３を屈曲させる。
【００２３】
このように、この光ファイバケーブル１０では、二次被覆１３の幅方向に偏心して光ファイバ１１を設けているため、切込部又は切欠部を形成することにより、二次被覆１３の幅方向に容易に屈曲させることができる。また、二次被覆１３を幅方向に容易に屈曲させることができるため、光ファイバ１１にかかるストレスを低減させることができる。
【００２４】
また、この光ファイバケーブル１０では、二次被覆１３の幅方向に偏心して光ファイバ１１を設けているため、例えば図１に示すように、釘，プッシュピン２０等の部材を二次被覆１３の中心付近に貫通させて光ファイバケーブル１０を壁等に固定することができる。このように光ファイバケーブル１０を固定しても、光ファイバ１１の中心が二次被覆１３の中心から離れているため、光ファイバ１１にかかるストレスを低減させることができる。
【００２５】
上述のような光ファイバケーブル１０を配線することによって、例えば図８に示すような光ファイバ伝送路（配線構造）を構築することができる。同図中の屈曲部Ａは，上述の図４及び図５に示す方法で形成し、屈曲部Ｂは上述の図６及び図７に示す方法で形成している。この光ファイバケーブル１０では、上述のように、屈曲部を形成するのが容易であるため、このような光ファイバ伝送路の施工を容易に行うことができる。
【００２６】
上述の実施形態では、図１に示すように、二次被覆１３の断面形状を矩形状とした場合について説明したが、少なくとも二次被覆１３の一面が平坦面となっていればよく、例えば図９に示す半円状の断面形状あるいは図１０に示す台形状の断面形状としてもよい。このような構造とした場合にも、上述の実施形態と同様の効果を得ることができる。
【００２７】
また、上述の実施形態では、図２，図９，図１０に示すように、二次被覆１３の裏面に粘着部材１５及び剥離紙１６を設けた場合について説明したが、これらの粘着部材１５及び剥離紙１６を設けなくてもよい。この場合には、光ファイバケーブル１０を壁等に取り付ける際に、別途プッシュピン，ケーブルホルダあるいは両面テープ等の固定部材を必要とするが、光ファイバケーブル１０の屈曲性は、上述の実施形態同様に改善される。
【００２８】
また、上述の実施形態では、図３〜図８に示すように、二次被覆１３中の光ファイバ１１の位置を示すマーキング１７を設けた例を示したが、例えば二次被覆１３の断面形状で光ファイバ１１の位置を示すようにしてもよい。具体的には、例えば図１１に示すように、光ファイバ１１の位置の二次被覆１３の厚さを部分的に厚くしてマーキング１８を形成する。
【００２９】
これにより、上述の実施形態と同様に、光ファイバ１１の位置を容易に知ることができ、施工上のミスの低減に寄与することができる。さらに、二次被覆１３に切込部あるいは切欠部を形成する際に、マーキング１８の部分の保護（すなわち光ファイバ１１の保護）の確実性の向上に寄与することができる。
【００３０】
さらに、図１２（ａ）及び（ｂ）に示すように、光ファイバ１１に対応する箇所以外の二次被覆１３の表面に、所定間隔（例えば５０cm毎）で凹部１４を設けてもよい。これによれば、ユーザーがプッシュピン２０を使用して二次被覆１３を壁等に固定する際、プッシュピン２０を貫通させる位置を、凹部１４の位置とするように促すことができ、プッシュピン２０によって二次被覆１３内部の光ファイバ１１が破損されるのを回避することができる。
【図面の簡単な説明】
【００３１】
【図１】実施形態に係る光ファイバケーブルの構造を示す斜視図である。
【図２】実施形態に係る光ファイバケーブルの裏面の構造を示す斜視図である。
【図３】実施形態に係る光ファイバケーブルの構造を示す図である。
【図４】実施形態に係る光伝送路の屈曲部の形成手順を示す図である。
【図５】実施形態に係る光伝送路の屈曲部を示す図である。
【図６】実施形態に係る光伝送路の屈曲部の形成手順を示す図である。
【図７】実施形態に係る光伝送路の屈曲部を示す図である。
【図８】実施形態に係る光ファイバケーブルを用いた配線構造の構成例を示す斜視図である。
【図９】実施形態に係る光ファイバケーブルの他の構成例を示す斜視図である。
【図１０】実施形態に係る光ファイバケーブルの他の構成例を示す斜視図である。
【図１１】実施形態に係る光ファイバケーブルの他の構成例を示す斜視図である。
【図１２】実施形態に係る光ファイバケーブルの他の構成例を示す斜視図である。
【符号の説明】
【００３２】
１０…光ファイバケーブル
１１…光ファイバ
１２…一次被覆
１４…凹部
１３…二次被覆（保護部材）
１５…粘着部材
１６…剥離紙
１７，１８…マーキング
Ａ，Ｂ…屈曲部
４０，４０’…切込部
５０，５０’…切欠部
【図１】
2006032233.tif 000003
【図２】
2006032233.tif 000004
【図３】
2006032233.tif 000005
【図４】
2006032233.tif 000006
【図５】
2006032233.tif 000007
【図６】
2006032233.tif 000008
【図７】
2006032233.tif 000009
【図８】
2006032233.tif 000010
【図９】
2006032233.tif 000011
【図１０】
2006032233.tif 000012
【図１１】
2006032233.tif 000013
【図１２】
2006032233.tif 000014